(57)【要約】【課題】画像の品質に影響を与えず、また、画面設計者に負担を強いることなく、選択された画像に枠を施す。【解決手段】位置定義変換回路１００は、画像および背景の表示位置を定義する情報９０１を背景、枠および画像の開始点および終了点９０２に変換する。この変換結果に基づいて選択信号生成回路２００は、背景、枠および画像のバリッド信号を生成し、選択信号２６９を出力する。この選択信号２６９に従って、データ選択回路４００は、無表示、背景、枠および画像の何れかの表示データを選択して出力データ４５１〜４５４とする。これにより、画像の縮小率を維持したまま画像に内枠を施す。【選択図】　　　図９
2004048118.tif 000002
【特許請求の範囲】
【請求項１】
画像内側の所定領域に枠を描画した上で前記画像を表示させることを特徴とする画像生成回路。
【請求項２】
画像の表示位置を定義する情報に基づいて前記画像の内側の所定領域に枠を設けてこの枠の表示位置および前記枠に囲まれた内側画像の表示位置を生成する手段と、
前記内側画像の表示位置および前記枠の表示位置に基づいて選択信号を生成する手段と、
前記選択信号に基づいて前記画像の表示データおよび前記枠の表示データの何れかを選択する手段と
を具備することを特徴とする画像生成回路。
【請求項３】
前記画像の表示位置を定義する情報は、前記画像の開始点および幅と前記枠の幅とを備え、
前記内側画像の表示位置は、前記内側画像の開始点および終了点を備え、
前記枠の表示位置は、前記枠の開始点および終了点を備える
ことを特徴とする請求項２記載の画像生成回路。
【請求項４】
前記画像の表示位置を定義する情報は、前記画像の水平方向および垂直方向の開始点および幅と前記枠の水平方向および垂直方向の幅とを備え、
前記内側画像の表示位置は、前記内側画像の水平方向および垂直方向の開始点および終了点を備え、
前記枠の表示位置は、前記枠の水平方向および垂直方向の開始点および終了点を備える
ことを特徴とする請求項２記載の画像生成回路。
【請求項５】
画面表示方式を指定する手段と、
前記画面表示方式としてインタレース方式が指定された場合には前記内側画像の垂直方向の開始点および終了点と前記枠の垂直方向の開始点および終了点とについて所定の変換を施す垂直位置変換手段と
をさらに具備することを特徴とする請求項４記載の画像生成回路。
【請求項６】
前記垂直位置変換手段は、前記画面表示方式としてインタレース方式が指定された場合、奇数フィールドおよび偶数フィールドのそれぞれにおいて前記内側画像の垂直方向の開始点乃至終了点および前記枠の垂直方向の開始点乃至終了点がそれぞれ連続する値となるよう変換を施すことを特徴とする請求項５記載の画像生成回路。
【請求項７】
前記垂直位置変換手段は、前記画面表示方式としてインタレース方式が指定された場合において、奇数フィールドを表示するときには前記内側画像の垂直方向の開始点乃至終了点および前記枠の垂直方向の開始点乃至終了点のそれぞれについて１を加えて２で割った値になるよう変換を施し、偶数フィールドを表示するときには前記内側画像の垂直方向の開始点乃至終了点および前記枠の垂直方向の開始点乃至終了点のそれぞれについて２で割った値になるよう変換を施すことを特徴とする請求項５記載の画像生成回路。
【請求項８】
前記選択信号を生成する手段は、
画面表示位置の各々について前記内側画像の表示が有効であるか否かを示す画像バリッド信号を生成する手段と、
前記画面表示位置の各々について前記枠の表示が有効であるか否かを示す枠バリッド信号を生成する手段と、
前記枠バリッド信号よりも前記画像バリッド信号の優先度を高くして前記内側画像および前記枠の何れを表示すべきかを前記画面表示位置の各々について選択する前記選択信号を生成する優先度決定手段とを具備する
ことを特徴とする請求項２記載の画像生成回路。
【請求項９】
前記内側画像の表示位置は、前記内側画像の水平方向および垂直方向の開始点および終了点を備え、
前記画像バリッド信号を生成する手段は、前記画像表示位置の各々について水平方向位置が前記内側画像の開始点と終了点との間にあり且つ垂直方向位置が前記内側画像の開始点と終了点との間にある場合に前記内側画像の表示が有効である旨を前記画像バリッド信号により示し、
前記枠の表示位置は、前記枠の水平方向および垂直方向の開始点および終了点を備え、
前記枠バリッド信号を生成する手段は、前記画像表示位置の各々について水平方向位置が前記枠の開始点と終了点との間にあり且つ垂直方向位置が前記枠の開始点と終了点との間にある場合に前記枠の表示が有効である旨を前記枠バリッド信号により示す
ことを特徴とする請求項８記載の画像生成回路。
【請求項１０】
画像の表示位置を定義する情報に基づいて前記画像の内側の所定領域に内枠を設けてこの内枠に囲まれた内側画像の表示位置を生成する手段と、
前記画像の外側の所定領域に外枠を設けてこの外枠と前記内枠とをあわせた枠の表示位置を生成する手段と、
前記内側画像の表示位置および前記枠の表示位置に基づいて選択信号を生成する手段と、
前記選択信号に基づいて前記画像の表示データおよび前記枠の表示データの何れかを選択する手段と
を具備することを特徴とする画像生成回路。
【請求項１１】
画像の表示位置を定義する情報に基づいて前記画像の内側の所定領域に内枠を設けてこの内枠に囲まれた内側画像の表示位置を生成する手段と、
前記画像の外側の所定領域に外枠を設けてこの外枠と前記内枠とをあわせた枠の表示位置を生成する手段と、
背景の表示位置を定義する情報に基づいてこの背景の表示位置を生成する手段と、
前記内側画像の表示位置と前記枠の表示位置と前記背景の表示位置とに基づいて選択信号を生成する手段と、
前記選択信号に基づいて前記画像の表示データ、前記枠の表示データおよび前記背景の表示データの何れかを選択する手段と
を具備することを特徴とする画像生成回路。
【請求項１２】
前記画像の表示位置を定義する情報は、前記画像の開始点および幅と前記内枠および前記外枠の幅とを備え、
前記背景の表示位置を定義する情報は、前記背景の開始点および幅を備え、
前記内側画像の表示位置は、前記内側画像の開始点および終了点を備え、
前記枠の表示位置は、前記枠の開始点および終了点を備え、
前記背景の表示位置は、前記背景の開始点および終了点を備える
ことを特徴とする請求項１１記載の画像生成回路。
【請求項１３】
前記画像の表示位置を定義する情報は、前記画像の水平方向および垂直方向の開始点および幅と前記内枠および前記外枠の水平方向および垂直方向の幅とを備え、
前記背景の表示位置を定義する情報は、前記背景の水平方向および垂直方向の開始点および幅を備え、
前記内側画像の表示位置は、前記内側画像の水平方向および垂直方向の開始点および終了点を備え、
前記枠の表示位置は、前記枠の水平方向および垂直方向の開始点および終了点を備え、
前記背景の表示位置は、前記背景の水平方向および垂直方向の開始点および終了点を備える
ことを特徴とする請求項１１記載の画像生成回路。
【請求項１４】
画面表示方式を指定する手段と、
前記画面表示方式としてインタレース方式が指定された場合には前記内側画像の垂直方向の開始点および終了点と、前記枠の垂直方向の開始点および終了点と、前記背景の垂直方向の開始点および終了点とについて所定の変換を施す垂直位置変換手段と
をさらに具備することを特徴とする請求項１３記載の画像生成回路。
【請求項１５】
前記垂直位置変換手段は、前記画面表示方式としてインタレース方式が指定された場合において、奇数フィールドおよび偶数フィールドのそれぞれにおいて前記内側画像の垂直方向の開始点乃至終了点、前記枠の垂直方向の開始点乃至終了点および前記背景の垂直方向の開始点乃至終了点がそれぞれ連続する値となるよう変換を施すことを特徴とする請求項１４記載の画像生成回路。
【請求項１６】
前記垂直位置変換手段は、前記画面表示方式としてインタレース方式が指定された場合において、奇数フィールドを表示するときには前記内側画像の垂直方向の開始点乃至終了点、前記枠の垂直方向の開始点乃至終了点および前記背景の垂直方向の開始点乃至終了点のそれぞれについて１を加えて２で割った値になるよう変換を施し、偶数フィールドを表示するときには前記内側画像の垂直方向の開始点乃至終了点、前記枠の垂直方向の開始点乃至終了点および前記背景の垂直方向の開始点乃至終了点のそれぞれについて２で割った値になるよう変換を施すことを特徴とする請求項１４記載の画像生成回路。
【請求項１７】
前記選択信号を生成する手段は、
画面表示位置の各々について前記内側画像の表示が有効であるか否かを示す画像バリッド信号を生成する手段と、
前記画面表示位置の各々について前記枠の表示が有効であるか否かを示す枠バリッド信号を生成する手段と、
前記画面表示位置の各々について前記背景の表示が有効であるか否かを示す背景バリッド信号を生成する手段と、
前記枠バリッド信号よりも前記画像バリッド信号の優先度を高くし、前記背景バリッド信号よりも前記枠バリッド信号の優先度を高くして、前記内側画像、前記枠および前記背景の何れを表示すべきかを前記画面表示位置の各々について選択する前記選択信号を生成する優先度決定手段とを具備する
ことを特徴とする請求項１１記載の画像生成回路。
【請求項１８】
前記内側画像の表示位置は、前記内側画像の水平方向および垂直方向の開始点と水平方向および垂直方向の終了点とを備え、
前記画像バリッド信号を生成する手段は、前記画像表示位置の各々について水平方向位置が前記内側画像の開始点と終了点との間にあり且つ垂直方向位置が前記内側画像の開始点と終了点との間にある場合に前記内側画像の表示が有効である旨を前記画像バリッド信号により示し、
前記枠の表示位置は、前記枠の水平方向および垂直方向の開始点と水平方向および垂直方向の終了点とを備え、
前記枠バリッド信号を生成する手段は、画像表示位置の各々について水平方向位置が前記枠の開始点と終了点との間にあり且つ垂直方向位置が前記枠の開始点と終了点との間にある場合に前記枠の表示が有効である旨を前記枠バリッド信号により示し、
前記枠の表示位置は、前記枠の水平方向および垂直方向の開始点と水平方向および垂直方向の終了点とを備え、
前記背景バリッド信号を生成する手段は、画像表示位置の各々について水平方向位置が前記背景の開始点と終了点との間にあり且つ垂直方向位置が前記背景の開始点と終了点との間にある場合に前記枠の表示が有効である旨を前記背景バリッド信号により示す
ことを特徴とする請求項１７記載の画像生成回路。
【請求項１９】
前記画像の表示データ、前記枠の表示データおよび前記背景の表示データは、それぞれ色情報を含むことを特徴とする請求項１１記載の画像生成回路。
【請求項２０】
前記色情報は、輝度情報と色差情報とを含むことを特徴とする請求項１９記載の画像生成回路。
【請求項２１】
前記色情報は、さらに透明度情報を含むことを特徴とする請求項２０記載の画像生成回路。
【請求項２２】
画像の表示位置を定義する情報を保持する位置定義レジスタと、
この位置定義レジスタに保持された前記画像の表示位置を定義する情報に基づいて前記画像の内側の所定領域に枠を設けてこの枠の表示位置および前記枠に囲まれた内側画像の表示位置を生成する手段と、
前記内側画像の表示位置および前記枠の表示位置に基づいて選択信号を生成する手段と、
前記選択信号に基づいて前記画像の表示データおよび前記枠の表示データの何れかを選択する手段と
を具備することを特徴とする画像表示装置。
【請求項２３】
外部からの指示に応じて前記位置定義レジスタを更新する制御部をさらに具備することを特徴とする請求項２２記載の画像表示装置。
【請求項２４】
ユーザからの指示を受けるインタフェースと、
このインタフェースの受けた前記指示に応じて前記位置定義レジスタを更新する制御部と
をさらに具備することを特徴とする請求項２２記載の画像表示装置。
【請求項２５】
画像の表示位置を定義する情報に基づいて前記画像の内側の所定領域に枠を設けてこの枠の表示位置および前記枠に囲まれた内側画像の表示位置を生成する手順と、
前記内側画像の表示位置および前記枠の表示位置に基づいて選択信号を生成する手順と、
前記選択信号に基づいて前記画像の表示データおよび前記枠の表示データの何れかを選択する手順と
を具備することを特徴とする画像生成方法。
【請求項２６】
画像の表示位置を定義する情報に基づいて前記画像の内側の所定領域に内枠を設けてこの内枠に囲まれた内側画像の表示位置を生成する手順と、
前記画像の外側の所定領域に外枠を設けてこの外枠と前記内枠とをあわせた枠の表示位置を生成する手順と、
前記内側画像の表示位置および前記枠の表示位置に基づいて選択信号を生成する手順と、
前記選択信号に基づいて前記画像の表示データおよび前記枠の表示データの何れかを選択する手順と
を具備することを特徴とする画像生成方法。
【請求項２７】
画像の表示位置を定義する情報に基づいて前記画像の内側の所定領域に内枠を設けてこの内枠に囲まれた内側画像の表示位置を生成する手順と、
前記画像の外側の所定領域に外枠を設けてこの外枠と前記内枠とをあわせた枠の表示位置を生成する手順と、
背景の表示位置を定義する情報に基づいてこの背景の表示位置を生成する手順と、
前記内側画像の表示位置と前記枠の表示位置と前記背景の表示位置とに基づいて選択信号を生成する手順と、
前記選択信号に基づいて前記画像の表示データ、前記枠の表示データおよび前記背景の表示データの何れかを選択する手順と
を具備することを特徴とする画像生成方法。
【発明の詳細な説明】
【発明の属する技術分野】
本発明は、画像生成回路、画像表示装置および画像生成方法に関し、特に特定の画像について枠を施した上で画像を生成する画像生成回路に適用して好適なものに関する。
【０００１】
【従来の技術】
デジタルテレビ等の画像表示装置では、画面上に複数の画像を重ね合せて提示する機能が設けられている。この機能はオンスクリーンディスプレイ（ＯＳＤ）等とよばれる。例えば、図３を参照すると、３つの画像８０３、８０５および８０６が表示されている。また、これら画像８０３、８０５および８０６を視認し易くするために、背景８０２が無表示領域８０１の上に設けられている。
【０００２】
ここで、例えば、画像８０３および８０５が動画像であって、何れかの選択された動画像に対応する音声がスピーカから流れるものとすると、何れの動画像が選択されているのかを表示する必要が生じる。選択された動画像に対応する字幕情報が画像８０６に表示されるものとした場合も同様である。そのため、選択されている画像を明らかにするために、図３のように画像の外側を囲む枠８０３が施されるようになっている。これにより、現在どの画像に対応する音声が流れているのか、もしくはどの画像に対応する字幕が表示されているのかが一目で分かるようになっている。
【０００３】
【発明が解決しようとする課題】
上述の従来技術では、画像の外側を囲むように枠が設けられているため、その画像の配置に工夫をする必要がある。例えば、図５（ａ）のように、画像８０４を画面の隅に配置した場合、その画像の外側に枠８０３を設けても、表示可能領域外のブランキングゾーン８０９にかかってしまい、枠８０３の一部が表示されなくなってしまう。これを避けるためには、画像を平行移動するか縮小することによって、表示可能領域内に枠８０３を表示するための領域を確保する必要が生じる。しかし、画像を平行移動するためには所定の枠幅を考慮して画面全体の設計をしなければならず、画面設計者に余計な負担を強いることになる。また、画像を縮小する場合には、縮小率によっては画像の品質を損なうおそれが生じ得る。
【０００４】
本発明の目的は、画像の品質に影響を与えず、また、画面設計者に負担を強いることなく、選択された画像に枠を施すことにある。
【０００５】
【課題を解決するための手段】
上記課題を解決するために本発明の画像生成回路は、画像の表示位置を定義する情報に基づいて上記画像の内側の所定領域に枠を設けてこの枠の表示位置および上記枠に囲まれた内側画像の表示位置を生成する手段と、上記内側画像の表示位置および上記枠の表示位置に基づいて選択信号を生成する手段と、上記選択信号に基づいて上記画像の表示データおよび上記枠の表示データの何れかを選択する手段とを具備する。これにより、画像内側の所定領域に枠を描画した上で上記画像を表示させるという作用をもたらす。
【０００６】
また、本発明の他の画像生成回路において、上記画像の表示位置を定義する情報は上記画像の開始点および幅と上記枠の幅とを備え、上記内側画像の表示位置は上記内側画像の開始点および終了点を備え、上記枠の表示位置は上記枠の開始点および終了点を備える。すなわち、上記表示位置を生成する手段は、画像の開始点および幅と枠の幅とから内側画像および枠の開始点および終了点を生成するという作用をもたらす。
【０００７】
また、本発明の他の画像生成回路において、上記画像の表示位置を定義する情報は、上記画像の水平方向および垂直方向の開始点および幅と上記枠の水平方向および垂直方向の幅とを備え、上記内側画像の表示位置は、上記内側画像の水平方向および垂直方向の開始点および終了点を備え、上記枠の表示位置は、上記枠の水平方向および垂直方向の開始点および終了点を備える。すなわち、上記表示位置を生成する手段は、画像の水平方向および垂直方向の開始点および幅と枠の水平方向および垂直方向の幅とから内側画像および枠の水平方向および垂直方向の開始点および終了点を生成するという作用をもたらす。
【０００８】
また、本発明の他の画像生成回路は、画面表示方式を指定する手段と、上記画面表示方式としてインタレース方式が指定された場合には上記内側画像の垂直方向の開始点および終了点と上記枠の垂直方向の開始点および終了点とについて所定の変換を施す垂直位置変換手段とをさらに具備する。これにより、インタレース方式が指定された場合とプログレッシブ方式が指定された場合とで処理を統一させるという作用をもたらす。
【０００９】
また、本発明の他の画像生成回路において、上記垂直位置変換手段は、上記画面表示方式としてインタレース方式が指定された場合、奇数フィールドおよび偶数フィールドのそれぞれにおいて上記内側画像の垂直方向の開始点乃至終了点および上記枠の垂直方向の開始点乃至終了点がそれぞれ連続する値となるよう変換を施す。これにより、奇数フィールドおよび偶数フィールドの何れが指定された場合でも処理を統一させるという作用をもたらす。より具体的には、上記垂直位置変換手段は、上記画面表示方式としてインタレース方式が指定された場合において、奇数フィールドを表示するときには上記内側画像の垂直方向の開始点乃至終了点および上記枠の垂直方向の開始点乃至終了点のそれぞれについて１を加えて２で割った値になるよう変換を施し、偶数フィールドを表示するときには上記内側画像の垂直方向の開始点乃至終了点および上記枠の垂直方向の開始点乃至終了点のそれぞれについて２で割った値になるよう変換を施す。
【００１０】
また、本発明の他の画像生成回路において、上記選択信号を生成する手段は、画面表示位置の各々について上記内側画像の表示が有効であるか否かを示す画像バリッド信号を生成する手段と、上記画面表示位置の各々について上記枠の表示が有効であるか否かを示す枠バリッド信号を生成する手段と、上記枠バリッド信号よりも上記画像バリッド信号の優先度を高くして上記内側画像および上記枠の何れを表示すべきかを上記画面表示位置の各々について選択する上記選択信号を生成する優先度決定手段とを具備する。これにより、画像および枠のバリッド信号を生成した上でこれらの優先度を考慮して選択信号を生成するという作用をもたらす。
【００１１】
また、本発明の他の画像生成回路において、上記内側画像の表示位置は、上記内側画像の水平方向および垂直方向の開始点および終了点を備え、上記画像バリッド信号を生成する手段は上記画像表示位置の各々について水平方向位置が上記内側画像の開始点と終了点との間にあり且つ垂直方向位置が上記内側画像の開始点と終了点との間にある場合に上記内側画像の表示が有効である旨を上記画像バリッド信号により示し、上記枠の表示位置は上記枠の水平方向および垂直方向の開始点および終了点を備え、上記枠バリッド信号を生成する手段は上記画像表示位置の各々について水平方向位置が上記枠の開始点と終了点との間にあり且つ垂直方向位置が上記枠の開始点と終了点との間にある場合に上記枠の表示が有効である旨を上記枠バリッド信号により示す。これにより、画像表示位置の各々について水平方向位置および垂直方向位置の両者が開始点と終了点との間にある場合に、画像および枠のバリッド信号を有効にするという作用をもたらす。
【００１２】
また、本発明の他の画像生成回路は、画像の表示位置を定義する情報に基づいて上記画像の内側の所定領域に内枠を設けてこの内枠に囲まれた内側画像の表示位置を生成する手段と、上記画像の外側の所定領域に外枠を設けてこの外枠と上記内枠とをあわせた枠の表示位置を生成する手段と、上記内側画像の表示位置および上記枠の表示位置に基づいて選択信号を生成する手段と、上記選択信号に基づいて上記画像の表示データおよび上記枠の表示データの何れかを選択する手段とを具備する。これにより、画像内側の所定領域に内枠を描画した上で上記画像を表示させるという作用をもたらす。
【００１３】
また、本発明の他の画像生成回路は、画像の表示位置を定義する情報に基づいて上記画像の内側の所定領域に内枠を設けてこの内枠に囲まれた内側画像の表示位置を生成する手段と、上記画像の外側の所定領域に外枠を設けてこの外枠と上記内枠とをあわせた枠の表示位置を生成する手段と、背景の表示位置を定義する情報に基づいてこの背景の表示位置を生成する手段と、上記内側画像の表示位置と上記枠の表示位置と上記背景の表示位置とに基づいて選択信号を生成する手段と、上記選択信号に基づいて上記画像の表示データ、上記枠の表示データおよび上記背景の表示データの何れかを選択する手段とを具備する。これにより、画像内側の所定領域に内枠を描画し、外側に背景を描画した上で上記画像を表示させるという作用をもたらす。
【００１４】
また、本発明の他の画像生成回路において、上記画像の表示位置を定義する情報は上記画像の開始点および幅と上記内枠および上記外枠の幅とを備え、上記背景の表示位置を定義する情報は上記背景の開始点および幅を備え、上記内側画像の表示位置は上記内側画像の開始点および終了点を備え、上記枠の表示位置は上記枠の開始点および終了点を備え、上記背景の表示位置は上記背景の開始点および終了点を備える。すなわち、上記表示位置を生成する手段は、画像の開始点および幅と内枠および外枠の幅とから内側画像および枠の開始点および終了点を生成し、背景の開始点および幅から背景の開始点および終了点を生成するという作用をもたらす。
【００１５】
また、本発明の他の画像生成回路において、上記画像の表示位置を定義する情報は上記画像の水平方向および垂直方向の開始点および幅と上記内枠および上記外枠の水平方向および垂直方向の幅とを備え、上記背景の表示位置を定義する情報は上記背景の水平方向および垂直方向の開始点および幅を備え、上記内側画像の表示位置は上記内側画像の水平方向および垂直方向の開始点および終了点を備え、上記枠の表示位置は上記枠の水平方向および垂直方向の開始点および終了点を備え、上記背景の表示位置は上記背景の水平方向および垂直方向の開始点および終了点を備える。すなわち、上記表示位置を生成する手段は、画像の水平方向および垂直方向の開始点および幅と内枠および外枠の水平方向および垂直方向の幅とから内側画像および枠の水平方向および垂直方向の開始点および終了点を生成し、背景の水平方向および垂直方向の開始点および幅から背景の水平方向および垂直方向の開始点および終了点を生成するという作用をもたらす。
【００１６】
また、本発明の他の画像生成回路は、画面表示方式を指定する手段と、上記画面表示方式としてインタレース方式が指定された場合には上記内側画像の垂直方向の開始点および終了点と、上記枠の垂直方向の開始点および終了点と、上記背景の垂直方向の開始点および終了点とについて所定の変換を施す垂直位置変換手段とをさらに具備する。これにより、インタレース方式が指定された場合とプログレッシブ方式が指定された場合とで処理を統一させるという作用をもたらす。
【００１７】
また、本発明の他の画像生成回路において、上記垂直位置変換手段は、上記画面表示方式としてインタレース方式が指定された場合において、奇数フィールドおよび偶数フィールドのそれぞれにおいて上記内側画像の垂直方向の開始点乃至終了点、上記枠の垂直方向の開始点乃至終了点および上記背景の垂直方向の開始点乃至終了点がそれぞれ連続する値となるよう変換を施す。これにより、奇数フィールドおよび偶数フィールドの何れが指定された場合でも処理を統一させるという作用をもたらす。より具体的には、上記垂直位置変換手段は、上記画面表示方式としてインタレース方式が指定された場合において、奇数フィールドを表示するときには上記内側画像の垂直方向の開始点乃至終了点、上記枠の垂直方向の開始点乃至終了点および上記背景の垂直方向の開始点乃至終了点のそれぞれについて１を加えて２で割った値になるよう変換を施し、偶数フィールドを表示するときには上記内側画像の垂直方向の開始点乃至終了点、上記枠の垂直方向の開始点乃至終了点および上記背景の垂直方向の開始点乃至終了点のそれぞれについて２で割った値になるよう変換を施す。
【００１８】
また、本発明の他の画像生成回路において、上記選択信号を生成する手段は、画面表示位置の各々について上記内側画像の表示が有効であるか否かを示す画像バリッド信号を生成する手段と、上記画面表示位置の各々について上記枠の表示が有効であるか否かを示す枠バリッド信号を生成する手段と、上記画面表示位置の各々について上記背景の表示が有効であるか否かを示す背景バリッド信号を生成する手段と、上記枠バリッド信号よりも上記画像バリッド信号の優先度を高くし、上記背景バリッド信号よりも上記枠バリッド信号の優先度を高くして、上記内側画像、上記枠および上記背景の何れを表示すべきかを上記画面表示位置の各々について選択する上記選択信号を生成する優先度決定手段とを具備する。これにより、画像、枠および背景のバリッド信号を生成した上でこれらの優先度を考慮して選択信号を生成するという作用をもたらす。
【００１９】
また、本発明の他の画像生成回路において、上記内側画像の表示位置は上記内側画像の水平方向および垂直方向の開始点と水平方向および垂直方向の終了点とを備え、上記画像バリッド信号を生成する手段は上記画像表示位置の各々について水平方向位置が上記内側画像の開始点と終了点との間にあり且つ垂直方向位置が上記内側画像の開始点と終了点との間にある場合に上記内側画像の表示が有効である旨を上記画像バリッド信号により示し、上記枠の表示位置は上記枠の水平方向および垂直方向の開始点と水平方向および垂直方向の終了点とを備え、上記枠バリッド信号を生成する手段は画像表示位置の各々について水平方向位置が上記枠の開始点と終了点との間にあり且つ垂直方向位置が上記枠の開始点と終了点との間にある場合に上記枠の表示が有効である旨を上記枠バリッド信号により示し、上記枠の表示位置は上記枠の水平方向および垂直方向の開始点と水平方向および垂直方向の終了点とを備え、上記背景バリッド信号を生成する手段は画像表示位置の各々について水平方向位置が上記背景の開始点と終了点との間にあり且つ垂直方向位置が上記背景の開始点と終了点との間にある場合に上記枠の表示が有効である旨を上記背景バリッド信号により示す。これにより、画像表示位置の各々について水平方向位置および垂直方向位置の両者が開始点と終了点との間にある場合に、画像、枠および背景のバリッド信号を有効にするという作用をもたらす。
【００２０】
また、本発明の他の画像生成回路において、上記画像の表示データ、上記枠の表示データおよび上記背景の表示データは、それぞれ色情報を含む。これにより、カラーによる画像表示を可能にするという作用をもたらす。
【００２１】
また、本発明の他の画像生成回路において、上記色情報は、輝度情報と色差情報とを含む。これにより、ＹＣｂＣｒ空間による色表示を可能にするという作用をもたらす。
【００２２】
また、本発明の他の画像生成回路において、上記色情報は、さらに透明度情報を含む。これにより透明度を調整することを可能にするという作用をもたらす。
【００２３】
また、本発明の画像表示装置は、画像の表示位置を定義する情報を保持する位置定義レジスタと、この位置定義レジスタに保持された上記画像の表示位置を定義する情報に基づいて上記画像の内側の所定領域に枠を設けてこの枠の表示位置および上記枠に囲まれた内側画像の表示位置を生成する手段と、上記内側画像の表示位置および上記枠の表示位置に基づいて選択信号を生成する手段と、上記選択信号に基づいて上記画像の表示データおよび上記枠の表示データの何れかを選択する手段とを具備する。これにより、位置定義レジスタの値に基づいて画像内側の所定領域に枠を描画した上で上記画像を表示させるという作用をもたらす。
【００２４】
また、本発明の他の画像表示装置は、外部からの指示に応じて上記位置定義レジスタを更新する制御部をさらに具備する。これにより、位置定義レジスタの値を適宜更新して枠を描画するという作用をもたらす。
【００２５】
また、本発明の他の画像表示装置は、ユーザからの指示を受けるインタフェースと、このインタフェースの受けた上記指示に応じて上記位置定義レジスタを更新する制御部とをさらに具備する。これにより、ユーザからの指示に基づいて位置定義レジスタの値を適宜更新して枠を描画するという作用をもたらす。
【００２６】
また、本発明の画像生成方法は、画像の表示位置を定義する情報に基づいて上記画像の内側の所定領域に枠を設けてこの枠の表示位置および上記枠に囲まれた内側画像の表示位置を生成する手順と、上記内側画像の表示位置および上記枠の表示位置に基づいて選択信号を生成する手順と、上記選択信号に基づいて上記画像の表示データおよび上記枠の表示データの何れかを選択する手順とを具備する。これにより、画像内側の所定領域に枠を描画した上で上記画像を表示させるという作用をもたらす。
【００２７】
また、本発明の他の画像生成方法は、画像の表示位置を定義する情報に基づいて上記画像の内側の所定領域に内枠を設けてこの内枠に囲まれた内側画像の表示位置を生成する手順と、上記画像の外側の所定領域に外枠を設けてこの外枠と上記内枠とをあわせた枠の表示位置を生成する手順と、上記内側画像の表示位置および上記枠の表示位置に基づいて選択信号を生成する手順と、上記選択信号に基づいて上記画像の表示データおよび上記枠の表示データの何れかを選択する手順とを具備する。これにより、画像内側の所定領域に内枠を描画した上で上記画像を表示させるという作用をもたらす。
【００２８】
また、本発明の他の画像生成方法は、画像の表示位置を定義する情報に基づいて上記画像の内側の所定領域に内枠を設けてこの内枠に囲まれた内側画像の表示位置を生成する手順と、上記画像の外側の所定領域に外枠を設けてこの外枠と上記内枠とをあわせた枠の表示位置を生成する手順と、背景の表示位置を定義する情報に基づいてこの背景の表示位置を生成する手順と、上記内側画像の表示位置と上記枠の表示位置と上記背景の表示位置とに基づいて選択信号を生成する手順と、上記選択信号に基づいて上記画像の表示データ、上記枠の表示データおよび上記背景の表示データの何れかを選択する手順とを具備する。これにより、画像内側の所定領域に内枠を描画し、外側に背景を描画した上で上記画像を表示させるという作用をもたらす。
【００２９】
【発明の実施の形態】
次に本発明の適用される画像表示装置の実施の形態について図面を参照して詳細に説明する。
【００３０】
図１を参照すると、本発明の実施の形態の一例として、画像表示装置２は、アンテナ１により受信した信号から選局する同調器１０と、受信信号からデータを取り出す復調器２０と、データを音声データと画像データとに分離する分離器３０と、音声データを復号する音声復号器４０と、画像データを復号する画像復号器５０と、復号された複数の画像を合成する画像合成器６０と、装置全体を制御する制御部７０と、利用者とのインタフェース８０とを備える。分離器３０、音声復号器４０、画像復号器５０、画像合成器６０、制御部７０およびインタフェース８０は互いにバス９０により接続されている。また、音声復号器４０の出力はスピーカ３に、画像合成器６０の出力はディスプレイ４にそれぞれ接続されており、スピーカ３からは音声が、ディスプレイ４からは画像がそれぞれ出力される。
【００３１】
同調器１０は、例えばチューナ機能として実現されるものであり、所望の周波数の信号を選ぶ。復調器２０は、例えば位相変調（ＰＳＫ）によりデジタル変調された信号を復調する。分離器３０は、例えば、トランスポートデコーダとして機能し、ＭＰＥＧ２のトランスポートストリームを音声ストリームと画像ストリームとに分離する。画像復号器５０は、画像データを復号して画面上に表示すべき複数の画像データとする。画像合成器６０は、これら複数の画像データを合成してディスプレイ４に表示させる。この際、どのように画像を合成するかは、制御部７０による指示に従う。また、インタフェース８０は、例えばリモートコントローラにより利用者が選択入力した情報を受信して制御部７０に伝える。
【００３２】
図２を参照すると、画像合成器６０の一例は、画像復号器５０からの複数の画像データのそれぞれについてサイズの拡大または縮小を行うサイズ変換回路６１と、各画像毎に画面表示イメージを生成する画像表示回路６２と、生成された画面表示イメージを重ね合せて最終的な画面表示イメージを作成する重ね合せ回路６３とを備える。
【００３３】
サイズ変換回路６１は、制御部７０からの指示に従い、入力された画像データのサイズを拡大または縮小する。したがって、複数の画像について互いに独立して拡大または縮小が可能となる。また、画像表示回路６２は、後述するように、各画像毎に必要に応じて枠および背景を施して画面表示イメージを生成する。このようにして生成された画像毎の画面表示イメージを、重ね合せ回路６３が重ね合せて最終的な画面表示イメージを作成する。この重ね合せ回路６３の一例として、オンスクリーンディスプレイ（ＯＳＤ）用ＬＳＩチップが知られている。
【００３４】
なお、図２では一例として３つの画像に対する処理を行うためにサイズ変換回路６１および画像生成回路６２をそれぞれ３つずつ設けているが、本発明においてはこれに限られず、必要に応じて所望の数のサイズ変換回路６１および画像生成回路６２を設けることができる。
【００３５】
図３は既に説明したとおり、最終的な画面表示イメージである。ここでは、画像８０４が選択されていて、それを明示するために枠８０３が施されている。本発明では、この枠表示が欠けてしまうことを回避するために、従来の外枠に加えて、もしくは外枠に代えて、内枠を施す。図４を参照すると画像８０４には、外枠８０３１に加えて、内枠８０３２が施されている。この内枠を施すにあたって画像の拡大縮小率に変更はないので、画像の縁の部分は内枠の領域だけ削られるが、元のイメージのまま画像を表示することができるという利点がある。
【００３６】
このように内枠を施したことにより、外枠だけを施した場合に比べて、画像を画面の隅に配置しても四方の枠を表示できるという効果を奏する。図５（ａ）は外枠だけを施した場合の例であり、枠８０３の２辺が表示可能領域外のブランキングゾーン８０９にかかってしまい、枠８０３の一部が表示されなくなっている。これに対し、図５（ｂ）では外枠８０３１に加えて内枠８０３２を施したことにより、外枠８０３１の一部はブランキングゾーン８０９にかかっているものの、内枠８０３２については欠けることなく表示されている。なお、この例では外枠８０３１と内枠８０３２の両者を表示しているが、外枠８０３１を表示せずに内枠８０３２のみを表示するようにしてもよい。
【００３７】
図６を参照すると、本発明の実施の形態における画像の表示位置を定義する情報の一例として、画像水平開始点９１３と、画像水平幅９１４と、外枠水平幅９１５と、内枠水平幅９１６と、画像垂直開始点９２３と、画像垂直幅９２４と、外枠垂直幅９２５と、内枠垂直幅９２６とが表示されている。また、背景の表示位置を定義する情報の一例として、背景水平開始点９１１と、背景水平幅９１２と、背景垂直開始点９２１と、背景垂直幅９２２とが表示されている。
【００３８】
画像水平開始点９１３および画像垂直開始点９２３は画像の水平方向および垂直方向の開始点を定義し、画像水平幅９１４および画像垂直幅９２４は画像の水平方向および垂直方向の幅を定義する。外枠水平幅９１５および外枠垂直幅９２５は外枠の水平方向および垂直方向の幅を定義する。内枠水平幅９１６および内枠垂直幅９２６は内枠の水平方向および垂直方向の幅を定義する。また、背景水平開始点９１１および背景垂直開始点９２１は背景の水平方向および垂直方向の開始点を定義し、背景水平幅９１２および背景垂直幅９２２は背景の水平方向および垂直方向の幅を定義する。なお、これら画像の表示位置を定義する情報および背景の表示位置を定義する情報を便宜上まとめて符号９０１により表す。
【００３９】
外枠は画像の外側に設けられるが、内枠は画像の内側に設けられる。したがって、内枠を表示する場合にはその内枠の領域だけ画像が削られる。この内枠の内側に表示される画像の部分を内側画像という。なお、外枠または内枠を表示しない場合には、外枠水平幅９１５および外枠垂直幅９２５または内枠水平幅９１６および内枠垂直幅９２６にはそれぞれゼロ値が設定される。
【００４０】
図７は、上述の画像および背景の表示位置を定義する情報（９０１）を保持する位置定義レジスタ９００である。位置定義レジスタ９００は、図７のように１２語に分かれており、それぞれ相対アドレスが付されている。この相対アドレスにより各値が個別に読み出される。この位置定義レジスタ９００は、例えば制御部７０に備えられる。もっとも、この位置定義レジスタ９００の値が適宜更新可能であればよく、例えば画像合成器６０に備えるようにしてもよい。
【００４１】
位置定義レジスタ９００は、利用者のリモートコントローラの操作によりインタフェース８０およびバス９０を介して更新される。例えば、利用者が画像の選択を切り替えることにより、外枠水平幅９１５、外枠垂直幅９２５、内枠水平幅９１６および内枠垂直幅９２６が更新される。また、位置定義レジスタ９００は、アンテナ１による受信信号に含まれる制御データによっても更新される。この制御データは分離器３０からバス９０を介して位置定義レジスタ９００に供給される。
【００４２】
図８は、本発明の実施の形態における各バリッド信号を説明するための図である。本発明の実施の形態では、図６で説明した画像および背景の表示位置を定義する情報（９０１）から、図８に示すように画面上の表示位置（画面表示位置）の各々について各表示が有効であるか否かを示すバリッド信号を生成することにより、画面上に表示すべき表示データを制御している。すなわち、画像水平バリッド信号８１３がアクティブであり且つ画像垂直バリッド信号８２３がアクティブであればその交点の表示位置には画像の表示データが表示される。また、この画像の表示データが表示されない領域では、枠水平バリッド信号８１２がアクティブであり且つ枠垂直バリッド信号８２２がアクティブであればその交点の表示位置には枠の表示データが表示される。そして、これら画像および枠の表示データが表示されない領域では、背景水平バリッド信号８１１がアクティブであり且つ背景垂直バリッド信号８２１がアクティブであればその交点の表示位置には背景の表示データが表示される。なお、これら画像、枠および背景の何れの表示データも表示されない領域には無表示の表示データが表示される。
【００４３】
次に本発明における画像生成回路の実施の形態について説明する。
【００４４】
図９を参照すると、本発明の実施の形態の一例として図２により概要を説明した画像生成回路６２は、画像および背景の表示位置を定義する情報を変換する位置定義変換回路１００と、選択信号を生成する選択信号生成回路２００と、画像の表示データのフォーマットを変換するフォーマット変換回路３００と、画面上に表示すべきデータを選択するデータ選択回路４００とを備える。
【００４５】
この画像生成回路６２には、対応するサイズ変換回路６１から画像の表示データ３０１〜３０３、枠の表示データ４３１〜４３４および背景の表示データ４２１〜４２４が入力される。これら表示データは、一例として、輝度Ｙと、２つの色差ＣｂおよびＣｒと、透明度ｂｆとの４つの要素からなっている。すなわち、例えば、表示データ３０１が輝度Ｙ、表示データ３０２が色差ＣｂおよびＣｒのインタリーブされたもの、そして、表示データ３０３が透明度ｂｆを表す。
【００４６】
位置定義変換回路１００は、位置定義レジスタ９００に保持された画像および背景の表示位置を定義する情報（９０１）を受けて、画像、枠および背景の開始点および終了点を生成する。また、位置定義変換回路１００は、表示方式指定信号１０２およびフィールド指定信号１０１を受けて、垂直方向のデータについて所定の変換を行う。これら表示方式指定信号１０２およびフィールド指定信号１０１は、例えば制御部７０からバス９０を介して提供される。
【００４７】
選択信号生成回路２００は、位置定義変換回路１００が生成した画像、枠および背景の開始点および終了点に基づいて、画像、枠および背景のバリッド信号を生成し、画面表示位置の各々について何れの表示データを表示すべきかを決定する。この結果は選択信号２６９として出力される。なお、各バリッド信号の生成に際しては、水平同期信号２０１および垂直同期信号２０２が使用される。これら水平同期信号２０１および垂直同期信号２０２は、例えば制御部７０からバス９０を介して提供される。
【００４８】
フォーマット変換回路３００は、画像の表示データ３０１〜３０３を受けて、フォーマット変換し、変換後の表示データ４４１〜４４４を出力する。例えば、表示データ３０１〜３０３が４：２：２フォーマットの場合、フォーマット変換回路３００はこれを４：４：４フォーマットにアップサンプリングする。ここで、４：２：２フォーマットとは、水平方向４ピクセルにおいて、輝度Ｙを各ピクセル毎に８ビットで、色差ＣｂおよびＣｒを２ピクセル毎に平均化して８ビットでサンプリングしたものであり、色差を水平方向に間引いた状態になる。すなわち、表示データ３０１は輝度Ｙを示し、表示データ３０２は色差ＣｂおよびＣｒを１ピクセルずつ交互に示すものとなる。これに対し、４：４：４フォーマットとは、水平方向４ピクセルにおいて、各ピクセル毎に輝度Ｙを８ビット、色差ＣｂおよびＣｒをそれぞれ８ビットでサンプリングしたものであり、全ての要素が均等な量になる。すなわち、すなわち、表示データ４４１は輝度Ｙを示し、表示データ４４２は色差Ｃｂを示し、表示データ４４３はＣｒを示すものとなる。４：２：２フォーマットから４：４：４フォーマットにアップサンプリングするに際しては、例えば色差ＣｂおよびＣｒについて隣接するピクセル間で平均化して補間することが考えられる。なお、透明度ｂｆについては、特に間引きされず、表示データ３０３および４４４として示されるものと仮定する。
【００４９】
データ選択回路４００は、選択信号生成回路２００からの選択信号２６９によって、画像、枠および背景の表示データ４４１〜４４４、４３１〜４３４および４２１〜４２４または無表示の表示データの何れかを選択して出力データ４５１〜４５４として出力する。
【００５０】
図１０を参照すると、位置定義変換回路１００の一例は、加算器１１１、１１３〜１１５、１２１および１２３〜１２５と、減算器１１２、１１６、１２２および１２６と、垂直位置変換回路１５１〜１５６を備える。この位置定義変換回路１００により、位置定義レジスタ９００からの画像および背景の表示位置を定義する情報（９０１）は、背景水平開始点９３１、背景水平終了点９３２、枠水平開始点９３３、枠水平終了点９３４、画像水平開始点９３５、画像水平終了点９３６、背景垂直開始点９５１、背景垂直終了点９５２、枠垂直開始点９５３、枠垂直終了点９５４、画像垂直開始点９５５および画像垂直終了点９５６に変換される。
【００５１】
背景水平開始点９３１は、背景水平開始点９１１そのものである。背景水平終了点９３２は、背景水平開始点９１１に背景水平幅９１２を加えたものである。枠水平開始点９３３は、画像水平開始点９１３から外枠水平幅９１５を引いたものである。枠水平終了点９３４は、画像水平開始点９１３に画像水平幅９１４と外枠水平幅９１５を加えたものである。画像水平開始点９３５は、画像水平開始点９１３に内枠水平幅９１６を加えたものである。画像水平終了点９３６は、画像水平開始点９１３に画像水平幅９１４を加えて内枠水平幅９１６を引いたものである。垂直方向についても同様の変換が行われ、背景垂直開始点９４１、背景垂直終了点９４２、枠垂直開始点９４３、枠垂直終了点９４４、画像垂直開始点９４５および画像垂直終了点９４６が一旦生成されるが、これらはさらに、それぞれ垂直位置変換回路１５１〜１５６において変換される。このようにして得られた位置定義変換回路１００の出力９３１〜９３６および９５１〜９５６をまとめて表示位置情報９０２とよぶ。
【００５２】
図１１を参照すると、位置定義変換回路１００における垂直位置変換回路１５１の一例は、加算器１５１１と、除算器１５１２および１５１３と、選択器１５１４および１５１５とを備え、背景垂直開始点９４１を受けて所定の変換を行う。垂直位置変換回路１５１には、表示方式指定信号１０２およびフィールド指定信号１０１が入力される。表示方式指定信号１０２は、画面表示方式としてインタレース方式およびプログレッシブ方式の何れかを指定するものである。インタレース方式とは一画面を１ラインおきに２回の走査で描くものであり、プログレッシブ方式とは一画面分の走査線を一度に走査するものである。インタレース方式における１回目の走査対象は第１フィールドもしくは奇数フィールド、２回目の走査対象は第２フィールドもしくは偶数フィールドとよばれる。フィールド指定信号１０１は、これらフィールドを指定するものである。
【００５３】
表示方式指定信号１０２がプログレッシブ方式を指示している場合には、選択器１５１５は背景垂直開始点９４１をそのまま背景垂直開始点９５１として出力する。一方、表示方式指定信号１０２がインタレース方式を指示している場合には、選択器１５１５は選択器１５１４の出力を背景垂直開始点９５１として出力する。選択器１５１４には、背景垂直開始点９４１に１を加えて２で割った値と背景垂直開始点９４１を２で割った値とが入力される。選択器１５１４は、フィールド指定信号１０１が第１フィールドを指示していれば前者を、フィールド指定信号１０１が第２フィールドを指示していれば後者を出力する。第１フィールドであれば背景垂直開始点９４１の値は１から始まる奇数値になるので、これに１を加えて２で割った値は１から始まる連続する整数値になる。一方、第２フィールドであれば背景垂直開始点９４１の値は２から始まる偶数値になるので、これを２で割った値は１から始まる連続する整数値になる。このようにして、インタレース方式の場合であっても、垂直方向の位置を連続する値として扱うことができるようになる。
【００５４】
なお、図１１の除算器１５１２および１５１３は、実際には１ビット右シフトする機能を有すれば十分であり、必ずしも除算器としての完全な機能を有する必要はない。また、図１１では垂直位置変換回路１５１の一例を示したが、他の垂直位置変換回路１５２〜１５６も同様の構成を有する。
【００５５】
図１２を参照すると、選択信号生成回路２００の一例は、水平カウンタ２１０と、垂直カウンタ２２０と、背景バリッド信号生成回路２３０と、枠バリッド信号生成回路２４０と、画像バリッド信号生成回路２５０と、優先度決定回路２６０とを備える。水平カウンタ２１０は画面上の水平方向の位置をカウントするものであり、クロック２０３に同期してカウントアップし、水平同期信号２０１によってリセットされる。垂直カウンタ２２０は画面上の垂直方向の位置をカウントするものであり、水平同期信号２０１によってカウントアップし、垂直同期信号２０２によってリセットされる。背景バリッド信号生成回路２３０、枠バリッド信号生成回路２４０および画像バリッド信号生成回路２５０は、水平カウンタ２１０および垂直カウンタ２２０の出力に同期して、位置定義変換回路１００（図９）からの表示位置情報９０２から、それぞれ背景、枠および画像のバリッド信号２３９、２４９および２５９を生成する。優先度決定回路２６０は、これら背景、枠および画像のバリッド信号２３９、２４９および２５９に基づいて、背景、枠および画像または無表示の何れを表示すべきかを示す選択信号２６９を出力する。
【００５６】
図１３を参照すると、背景バリッド生成回路２３０は、比較器２３１〜２３４と、ＲＳフリップフロップ２３５および２３６と、論理積ゲート２３７とを備える。比較器２３１は、水平カウンタ出力２１１と背景水平開始点９３１とが一致する場合にアクティブ信号を出力する。これにより、ＲＳフリップフロップ２３５がセットされ、それ以降ＲＳフリップフロップ２３５はアクティブ信号を出力するようになる。比較器２３２は水平カウンタ出力２１１と背景水平終了点９３２とが一致する場合にアクティブ信号を出力する。これにより、ＲＳフリップフロップ２３５がリセットされ、それ以降ＲＳフリップフロップ２３５はアクティブ信号を出力しなくなる。すなわち、ＲＳフリップフロップ２３５の出力は、図８における背景の水平方向のバリッド信号８１１に該当する。
【００５７】
比較器２３３は、垂直カウンタ出力２２１と背景垂直開始点９５１とが一致する場合にアクティブ信号を出力する。これにより、ＲＳフリップフロップ２３６がセットされ、それ以降ＲＳフリップフロップ２３６はアクティブ信号を出力するようになる。比較器２３４は垂直カウンタ出力２２１と背景垂直終了点９５２とが一致する場合にアクティブ信号を出力する。これにより、ＲＳフリップフロップ２３６がリセットされ、それ以降ＲＳフリップフロップ２３６はアクティブ信号を出力しなくなる。すなわち、ＲＳフリップフロップ２３６の出力は、図８における背景の垂直方向のバリッド信号８２１に該当する。
【００５８】
論理積ゲート２３７は、ＲＳフリップフロップ２３５の出力とＲＳフリップフロップ２３６の出力との論理積を生成する。これにより、論理積ゲート２３７は、画面表示位置の各々に対する背景バリッド信号２３９を生成する。
【００５９】
なお、枠バリッド生成回路２４０および画像バリッド生成回路２５０については内部構成を図示しないが、背景バリッド生成回路２３０と同様の構成を有する。但し、枠バリッド生成回路２４０においては、背景バリッド生成回路２３０における背景水平開始点９３１および背景水平終了点９３２の代わりに枠水平開始点９３３および枠水平終了点９３４を使用し、背景垂直開始点９５１および背景垂直終了点９５２の代わりに枠垂直開始点９５３および枠垂直終了点９５４を使用する。また、画像バリッド生成回路２５０においては、背景バリッド生成回路２３０における背景水平開始点９３１および背景水平終了点９３２の代わりに画像水平開始点９３５および画像水平終了点９３６を使用し、背景垂直開始点９５１および背景垂直終了点９５２の代わりに画像垂直開始点９５５および画像垂直終了点９５６を使用する。これにより、枠バリッド生成回路２４０および画像バリッド生成回路２５０は、それぞれ画面表示位置の各々に対する枠バリッド信号２４９および画像バリッド信号２５９を生成する。
【００６０】
図１４を参照すると、優先度決定回路２６０は、選択器２６１〜２６３を備える。選択器２６３は、画像バリッド信号２５９がアクティブであれば、画像の表示データを表示すべきことを示す”１１”を選択信号２６９として出力する。一方、選択器２６３は、画像バリッド信号２５９がアクティブでなければ、選択器２６２の出力を選択信号２６９として出力する。選択器２６２は、枠バリッド信号２４９がアクティブであれば、枠の表示データを表示すべきことを示す”１０”を出力する。一方、選択器２６２は、枠バリッド信号２４９がアクティブでなければ、選択器２６１の出力を出力する。選択器２６１は、背景バリッド信号２３９がアクティブであれば、背景の表示データを表示すべきことを示す”０１”を出力する。一方、選択器２６１は、背景バリッド信号２３９がアクティブでなければ、無表示の表示データを表示すべきことを示す”００”を出力する。
【００６１】
図１５を参照すると、データ選択回路４００は、無表示値レジスタ４１０と、選択器４０１〜４０４とを備える。無表示値レジスタ４１０は、画面上に何も表示しない状態を設けるための表示データを保持するものであり、例えば、他の表示データと同様に、輝度Ｙと、２つの色差ＣｂおよびＣｒと、透明度ｂｆとの４つの要素を、表示データ４１１〜４１４により提供する。
【００６２】
選択器４０１は、無表示、背景、枠および画像の輝度Ｙに関する表示データ４１１、４２１、４３１および４４１の何れかを選択信号２６９に従って選択する。すなわち、選択信号２６９が”００”であれば無表示の表示データ４１１、”０１”であれば背景の表示データ４２１、”１０”であれば枠の表示データ４３１、”１１”であれば画像の表示データ４４１を選択して輝度Ｙに関する出力データ４５１とする。選択器４０２は、無表示、背景、枠および画像の色差Ｃｂに関する表示データ４１２、４２２、４３２および４４２の何れかを選択信号２６９に従って選択する。すなわち、選択信号２６９が”００”であれば無表示の表示データ４１２、”０１”であれば背景の表示データ４２２、”１０”であれば枠の表示データ４３２、”１１”であれば画像の表示データ４４２を選択して色差Ｃｂに関する出力データ４５２とする。選択器４０３は、無表示、背景、枠および画像の色差Ｃｒに関する表示データ４１３、４２３、４３３および４４３の何れかを選択信号２６９に従って選択する。すなわち、選択信号２６９が”００”であれば無表示の表示データ４１３、”０１”であれば背景の表示データ４２３、”１０”であれば枠の表示データ４３３、”１１”であれば画像の表示データ４４３を選択して色差Ｃｒに関する出力データ４５３とする。選択器４０４は、無表示、背景、枠および画像の透明度ｂｆに関する表示データ４１４、４２４、４３４および４４４の何れかを選択信号２６９に従って選択する。すなわち、選択信号２６９が”００”であれば無表示の表示データ４１４、”０１”であれば背景の表示データ４２４、”１０”であれば枠の表示データ４３４、”１１”であれば画像の表示データ４４４を選択して透明度ｂｆに関する出力データ４５４とする。
【００６３】
次に、本発明の実施の形態における動作について図面を参照して説明する。
【００６４】
図１６を参照すると、動作の一例として、サイクルＴ１において垂直同期信号２０２がアクティブになると、垂直カウンタ２２０がリセットされ、次のサイクルＴ２に垂直カウンタ２２０はカウント値として”０”を示す。サイクルＴ２には水平同期信号２０１がアクティブになるため、水平カウンタ２１０がリセットされ、次のサイクルＴ３に水平カウンタ２１０はカウント値として”１”を示す。また、サイクルＴ２に水平同期信号２０１がアクティブになることにより垂直カウンタ２２０がカウントアップされ、次のサイクルＴ３に垂直カウンタ２２０はカウント値として”１”を示す。一方、水平カウンタ２１０は、クロック２０３の入力によってサイクル毎にカウントアップされていく。
【００６５】
この例ではサイクルＴ４まで何れのバリッド信号もアクティブにならないため、出力データ４５１〜４５４には無表示の表示データ４１１〜４１４が出力される。そして、サイクルＴ５において背景バリッド信号２３９がアクティブになると、出力データ４５１〜４５４には背景の表示データ４２１〜４２４が出力される。また、サイクルＴ７において枠バリッド信号２４９がアクティブになると、出力データ４５１〜４５４には枠の表示データ４３１〜４３４が出力される。さらに、サイクルＴ９において画像バリッド信号２５９がアクティブになると、出力データ４５１〜４５４には画像の表示データ４４１〜４４４が出力される。
【００６６】
その後、サイクルＴ１３において画像バリッド信号２５９がアクティブでなくなると、出力データ４５１〜４５４には枠の表示データ４３１〜４３４が出力される。また、サイクルＴ１５において枠バリッド信号２４９がアクティブでなくなると、出力データ４５１〜４５４には背景の表示データ４２１〜４２４が出力される。さらに、サイクルＴ１７において背景バリッド信号２３９がアクティブでなくなると、出力データ４５１〜４５４には無表示の表示データ４１１〜４１４が出力される。
【００６７】
そして、サイクルＴ１８には水平同期信号２０１がアクティブになることにより垂直カウンタ２２０がカウントアップされ、次のサイクルＴ１９に垂直カウンタ２２０はカウント値として”２”を示すようになる。なお、これらカウンタ２１０および２２０の具体的な値は一例にすぎず、リセット後の値についても必要に応じて適切な値を設定することができる。
【００６８】
次に、本発明の実施の形態における処理の流れについて図面を参照して説明する。
【００６９】
図９、図１０および図１７を参照すると、位置定義変換回路１００は、画像の表示位置を定義する情報（９１３〜９１６および９２３〜９２６）に基づいて内側画像に関する表示位置情報（９３５、９３６、９４５および９４６）を生成する（ステップＳ７０１）。また、位置定義変換回路１００は、同様に、枠に関する表示位置情報（９３３、９３４、９４３および９４４）を生成する（ステップＳ７０２）。さらに、位置定義変換回路１００は、背景の表示位置を定義する情報（９１１、９１２、９２１および９２２）に基づいて背景に関する表示位置情報（９３１、９３２、９４１および９４２）を生成する（ステップＳ７０３）。
【００７０】
また、垂直位置に関する表示位置情報９４１〜９４６であれば（ステップＳ７０４）、さらに画面表示方式がプログレッシブ方式であるかインタレース方式であるかを調べる（ステップＳ７０５）。ステップＳ７０５においてインタレース方式であると判断されると、何れのフィールドが指定されているかを調べ（ステップＳ７０６）、第１フィールドであれば垂直方向の表示位置の値に１を加えた後に２で割った値とする（ステップＳ７０７）。一方、第２フィールドであれば垂直方向の表示位置の値を２で割った値とする（ステップＳ７０８）。ステップＳ７０４において水平位置であると判断された場合およびステップＳ７０５においてプログレッシブ方式であると判断された場合には、表示位置の値はそのままとする。このようにして、垂直方向に関する表示位置情報９４１〜９４６は表示位置情報９５１〜９５６に変換される。
【００７１】
このようにして得られた表示位置情報９０２（９３１〜９３６および９５１〜９５６）に基づいて、選択信号生成回路２００は、背景、枠および画像のバリッド信号を生成する（ステップＳ７０９）。
【００７２】
図９、図１２および図１８を参照すると、フォーマット変換回路３００は、画像の表示データ３０１〜３０３に所定の変換を施して表示データ４４１〜４４４とする（ステップＳ７１１）。この変換としては、上述のように例えば４：２：２フォーマットから４：４：４フォーマットへのアップサンプリングが考えられる。
【００７３】
選択信号生成回路２００は、ステップＳ７０９で生成した何れかのバリッド信号がアクティブになっているかを調べ、アクティブなバリッド信号がなければ（ステップＳ７１２）、無表示の表示データを選択する選択信号２６９をデータ選択回路４００に出力する（ステップＳ７１３）。一方、画像バリッド信号がアクティブであれば（ステップＳ７１４）、選択信号生成回路２００は画像の表示データを選択する選択信号２６９をデータ選択回路４００に出力する（ステップＳ７１５）。また、画像バリッド信号がアクティブでなく枠バリッド信号がアクティブであれば（ステップＳ７１６）、選択信号生成回路２００は枠の表示データを選択する選択信号２６９をデータ選択回路４００に出力する（ステップＳ７１７）。さらに、枠バリッド信号がアクティブでなく背景バリッド信号がアクティブであれば（ステップＳ７１６）、選択信号生成回路２００は背景の表示データを選択する選択信号２６９をデータ選択回路４００に出力する（ステップＳ７１８）。
【００７４】
このようにして得られた選択信号２６９に基づいて、データ選択回路４００は、無表示または背景、枠および画像の表示データを選択して出力データ４５１〜４５４として出力する（ステップＳ７１３、Ｓ７１５，Ｓ７１７およびＳ７１８）。
【００７５】
このように、本発明の実施の形態によれば、画像および背景の表示位置を定義する情報９０１を位置定義変換回路１００により背景、枠および画像の開始点および終了点に変換し、これに基づいて選択信号生成回路２００が選択信号２６９を生成することにより、画像の品質に影響を与えることなく画像に枠を施すことが可能となる。また、枠８０３として外枠８０３１とともにまたは外枠８０３１に代えて内枠８０３２を施すことにより、例えば画面の隅に画像８０４を配置した場合であっても枠を全体として欠くことなく表示することができるため、画面設計者への負担を軽減することが可能となる。
【００７６】
また、本発明の実施の形態によれば、表示方式指定信号１０２により画面表示方式としてプログレッシブ方式とインタレース方式を指定できるようにし、フィールド指定信号１０１によりインタレース方式におけるフィールドを指定できるようにしたことにより、何れの表示方式においても適切な表示を実現することが可能となる。
【００７７】
なお、本発明の実施の形態では、画像および背景の表示位置を定義する情報９０１を位置定義レジスタ９００に保持するようにしたが、これに限られず受信信号に含まれる制御データやリモートコントローラからの操作信号によりこれらの情報を供給するようにしてもよい。
【００７８】
また、本発明の実施の形態では、画像表示装置２の信号源の一例として無線放送への適用を挙げたが、本発明はこれに限られることなく、有線放送やＤＶＤ等の記録媒体を信号源とするものについても広く適用することができる。
【００７９】
【発明の効果】
以上の説明で明らかなように、本発明によると、画像の内側に内枠を施した上で画像の表示データを表示することにより、画像の配置位置にとらわれず枠を全体として欠くことなく表示することができるという効果が得られる。
【図面の簡単な説明】
【図１】本発明の実施の形態における画像表示装置の構成を示すブロック図である。
【図２】本発明の実施の形態における画像合成器の構成を示すブロック図である。
【図３】本発明の実施の形態における画像表示装置により表示された画面イメージの一例を示す図である。
【図４】本発明の実施の形態における内枠を説明するための図である。
【図５】画像を画面の隅に配置した場合の問題点を説明するための図である。
【図６】本発明の実施の形態における画像および背景の表示位置を定義する情報を説明するための図である。
【図７】本発明の実施の形態における位置定義レジスタの内容を示す図である。
【図８】本発明の実施の形態におけるバリッド信号の概要を示す図である。
【図９】本発明の実施の形態における画像生成回路の構成を示すブロック図である。
【図１０】本発明の実施の形態の画像生成回路における位置定義変換回路の構成を示すブロック図である。
【図１１】本発明の実施の形態の画像生成回路における垂直位置変換回路の構成を示すブロック図である。
【図１２】本発明の実施の形態の画像生成回路における選択信号生成回路の構成を示すブロック図である。
【図１３】本発明の実施の形態の画像生成回路における背景バリッド生成回路の構成を示すブロック図である。
【図１４】本発明の実施の形態の画像生成回路における優先度決定回路の構成を示すブロック図である。
【図１５】本発明の実施の形態の画像生成回路におけるデータ選択回路の構成を示すブロック図である。
【図１６】本発明の実施の形態における動作を示すタイムチャートである。
【図１７】本発明の実施の形態における制御の流れを示すフローチャートである。
【図１８】本発明の実施の形態におけるデータの流れを示すフローチャートである。
【符号の説明】
１　アンテナ
２　画像表示装置
３　スピーカ
４　ディスプレイ
１０　同調器
２０　復調器
３０　分離器
４０　音声復号器
５０　画像復号器
６０　画像合成器
６１　サイズ変換回路
６２　画像生成回路
６３　重ね合せ回路
７０　制御部
８０　インタフェース
９０　バス
１００　位置定義変換回路
１５１　垂直位置変換回路
２００　選択信号生成回路
２１０　水平カウンタ
２２０　垂直カウンタ
２３０　背景バリッド生成回路
２３１〜２３４　比較器
２３５、２３６　ＲＳフリップフロップ
２３７　論理積ゲート
２４０　枠バリッド生成回路
２５０　画像バリッド生成回路
２６０　優先度決定回路
２６１〜２６３　選択器
３００　フォーマット変換回路
４００　データ選択回路
４０１〜４０４　選択器
４１０　無表示値レジスタ
９００　位置定義レジスタ
【図１】
2004048118.tif 000003
【図２】
2004048118.tif 000004
【図３】
2004048118.tif 000005
【図４】
2004048118.tif 000006
【図５】
2004048118.tif 000007
【図６】
2004048118.tif 000008
【図７】
2004048118.tif 000009
【図８】
2004048118.tif 000010
【図９】
2004048118.tif 000011
【図１０】
2004048118.tif 000012
【図１１】
2004048118.tif 000013
【図１２】
2004048118.tif 000014
【図１３】
2004048118.tif 000015
【図１４】
2004048118.tif 000016
【図１５】
2004048118.tif 000017
【図１６】
2004048118.tif 000018
【図１７】
2004048118.tif 000019
【図１８】
2004048118.tif 000020